(57)【要約】【課題】共有のためのサーバ装置を使わず、第三者によるデータの取得や偽のデータの配布を防止する。送信者が認証のためのパスワードの入力等が正確にできず認証されなかった場合に対処する。【解決手段】第１の通信端末２で送信時の認証を行い、認証が成立したら予定文メッセージを送信し、不成立なら、特定メッセージを送信する。第２の通信端末装置３は、受信時に認証を行い、認証が成立すると、予定文メッセージまたは特定メッセージを表示し、不成立なら、代替メッセージを表示する。第２の通信端末装置３の利用者５は、特定メッセージの表示を見ることにより、相手方が送信時に認証されていないことが分かる。代替メッセージは、正規の利用者には認証されなかったことが分かるが、第三者には理解できない。【選択図】図１
2008046732.tif 000002
【特許請求の範囲】
【請求項１】
第１の通信端末装置が前記第２の通信端末装置にメッセージを送信する処理ステップと、前記第２の通信端末装置が前記第１の通信端末装置からのメッセージを受信する処理ステップとからなり、第１の通信端末装置と第２の通信端末装置とを通信ネットワークを介して接続して、前記第１の通信端末装置と前記第２の通信端末装置との間で情報を共有する情報通信方法であって、
前記第１の通信端末装置が前記第２の通信端末装置にメッセージを送信する処理ステップは、
通常メッセージを作成するステップと、
前記通常メッセージの送信時において認証を行う第１の認証ステップと、
前記第１の認証ステップで認証が成立した場合には、前記通常メッセージを送信し、前記第１の認証ステップで認証が成立しない場合には、認証されなかったことを示す特定メッセージを作成して前記特定メッセージを送信するステップとを有し、
前記第２の通信端末装置が前記第１の通信端末装置からのメッセージを受信する処理ステップは、
前記第１の通信端末装置からの通常メッセージまたは特定メッセージを受信するステップと、
受信時において認証を行う第２の認証ステップと、
前記第２の認証ステップで認証が成立した場合には、受信した通常メッセージまたは特定メッセージを表示し、前記第２の認証ステップで認証が成立しない場合には、認証されなかったことを代替してあらわす第１の代替メッセージを作成して前記第１の代替メッセージを表示するステップと
を有することを特徴とする情報通信方法。
【請求項２】
前記第１の通信端末装置が前記第２の通信端末装置にメッセージを送信する処理ステップは、更に、前記送信時において認証の必要性を判定する第１の要認証判定ステップを有し、
前記第２の通信端末装置が前記第１の通信端末装置からのメッセージを受信する処理ステップは、更に、前記受信時において認証の必要性を判定する第２の要認証判定ステップを有することを特徴とする請求項１に記載の情報通信方法。
【請求項３】
第１の通信端末装置が前記第２の通信端末装置にメッセージを送信する処理ステップと、前記第２の通信端末装置が前記第１の通信端末装置からのメッセージを受信する処理ステップと、前記第２の通信端末装置が前記第１の通信端末装置に返信メッセージを送信する処理ステップと、前記第１の通信端末装置が前記第２の通信端末装置からの返信メッセージを受信する処理ステップとからなり、前記第１の通信端末装置と前記第２の通信端末装置とを通信ネットワークを介して接続して、前記第１の通信端末装置と前記第２の通信端末装置との間で情報を共有する情報通信方法であって、
前記第１の通信端末装置が前記第２の通信端末装置にメッセージを送信する処理ステップは、
通常メッセージを作成するステップと、
前記通常メッセージの送信時において認証を行う第１の認証ステップと、
前記第１の認証ステップで認証が成立した場合には、前記通常メッセージを送信し、前記第１の認証ステップで認証が成立しない場合には、認証されなかったことを示す特定メッセージを作成して前記特定メッセージを送信するステップとを有し、
前記第２の通信端末装置が前記第１の通信端末装置からのメッセージを受信する処理ステップは、
前記第１の通信端末装置からの通常メッセージまたは特定メッセージを受信するステップと、
受信時において認証を行う第２の認証ステップと、
前記第２の認証ステップで認証が成立した場合には、受信した通常メッセージまたは特定メッセージを表示し、前記第２の認証ステップで認証が成立しない場合には、認証されなかったことを代替してあらわす第１の代替メッセージを作成して前記第１の代替メッセージを表示するステップとを有し、
前記第２の通信端末装置が前記第１の通信端末装置に返信メッセージを送信する処理ステップは、
前記第２の通信端末装置で特定メッセージを受信した場合に、前記第１の通信端末装置に返信メッセージを送信するステップを有し、
前記第１の通信端末装置が前記第２の通信端末装置からの返信メッセージを受信する処理ステップは、
前記第１の通信端末装置からの返信メッセージを受信するステップと、
受信時において認証を行う第３の認証ステップと、
前記第３の認証ステップで認証が成立した場合には、受信した返信メッセージを表示し、前記第３の認証ステップで認証が成立しない場合には、認証されなかったことを代替してあらわす第２の代替メッセージを作成して前記第２の代替メッセージを表示するステップと
を有することを特徴とする情報通信方法。
【請求項４】
前記第１の通信端末装置が前記第２の通信端末装置からの返信メッセージを受信する処理ステップは、
更に、受信時において認証の必要性を判定する第３の要認証判定ステップを有することを特徴とする請求項３に記載の情報通信方法。
【請求項５】
前記認証ステップは、複数回の認証を含むものであることを特徴とする請求項１又は３に記載の情報通信方法。
【請求項６】
第１の通信端末装置と、第２の通信端末装置と、前記第１の通信端末装置と前記第２の通信端末装置との間を接続する通信ネットワークとからなり、前記第１の通信端末装置が前記第２の通信端末装置にメッセージを送信し、前記第２の通信端末装置が前記第１の通信端末装置からのメッセージを受信し、前記第１の通信端末装置と前記第２の通信端末装置との間で情報を共有する情報通信システムであって、
前記第１の通信端末装置は、
通常メッセージを作成する手段と、
前記通常メッセージの送信時において認証を行う第１の認証手段と、
前記第１の認証で認証が成立した場合には、前記通常メッセージを送信し、前記第１の認証で認証が成立しない場合には、認証されなかったことを示す特定メッセージを作成して前記特定メッセージを送信する手段とを有し、
前記第２の通信端末装置は、
前記第１の通信端末装置からの通常メッセージまたは特定メッセージを受信する手段と、
受信時において認証を行う第２の認証手段と、
前記第２の認証で認証が成立した場合には、受信した通常メッセージまたは特定メッセージを表示し、前記第２の認証で認証が成立しない場合には、認証されなかったことを代替してあらわす第１の代替メッセージを作成して前記第１の代替メッセージを表示する手段と
を有することを特徴とする情報通信システム。
【請求項７】
前記第１の通信端末装置は、更に、送信時において認証の必要性を判定する第１の要認証判定手段を有し、
前記第２の通信端末装置は、更に、受信時において認証の必要性を判定する第２の要認証判定手段を有することを特徴とする請求項６に記載の情報通信システム。
【請求項８】
第１の通信端末装置と、第２の通信端末装置と、前記第１の通信端末装置と前記第２の通信端末装置との間を接続する通信ネットワークとからなり、前記第１の通信端末装置が前記第２の通信端末装置にメッセージを送信し、前記第２の通信端末装置が前記第１の通信端末装置からのメッセージを受信し、更に、前記第２の通信端末装置は、前記第１の通信端末装置に返信メッセージを送信し、前記第１の通信端末装置は、前記第１の通信端末装置からの返信メッセージを受信して、前記第１の通信端末装置と前記第２の通信端末装置との間で情報を共有する情報通信システムであって、
前記第１の通信端末装置は、
通常メッセージを作成する手段と、
前記通常メッセージの送信時において認証を行う第１の認証手段と、
前記第１の認証で認証が成立した場合には、前記通常メッセージを送信し、前記第１の認証で認証が成立しない場合には、認証されなかったことを示す特定メッセージを作成して前記特定メッセージを送信する手段と、
前記返信メッセージの受信時において認証を行う第３の認証手段と、
前記第３の認証手段で認証が成立した場合には、受信した返信メッセージを表示し、前記第３の認証手段で認証が成立しない場合には、認証されなかったことを示す第２の代替メッセージを作成して前記第２の代替メッセージを表示する手段とを有し、
前記第２の通信端末装置は、
前記第１の通信端末装置からの通常メッセージまたは特定メッセージを受信する手段と、
受信時において認証を行う第２の認証手段と、
前記第２の認証手段で認証が成立した場合には、受信した通常メッセージまたは特定メッセージを表示し、前記第２の認証手段で認証が成立しない場合には、認証されなかったことを代替してあらわす第１の代替メッセージを作成して前記第１の代替メッセージを表示する手段と、
前記第１の通信端末装置からの特定メッセージを受信した場合に、前記第１の通信端末装置に返信メッセージを送信する手段と
を有することを特徴とする情報通信システム。
【請求項９】
前記第１の通信端末装置は、更に、受信時において認証の必要性を判定する第３の要認証判定手段を有することを特徴とする請求項８に記載の情報通信システム。
【請求項１０】
前記認証手段は、複数回の認証を含むものであることを特徴とする請求項６又は８に記載の情報通信システム。
【発明の詳細な説明】
【技術分野】
【０００１】
本発明は、第１の通信端末装置が送信者を認証したことにより情報を送信し、第２の通信端末装置が受信者を認証したことにより受信した情報を表示し、第１の通信端末装置と第２の通信端末装置間で情報を共有する情報通信技術に関する。
【背景技術】
【０００２】
従来の複数の通信端末装置間で情報を共有する技術としては、電力や通信リソースの無駄な使用を抑止して複数の携帯端末装置内に格納されているデータの共有性を確保する通信方法がある。
【０００３】
このような通信方法では、先ず、データ共有ネットワークへ参加しようとする携帯端末装置は、データを共有するデータ共有ネットワークへの参加を要求する信号を周辺の携帯端末装置に送出する。周辺の携帯端末装置は、本信号を受信し、自身のまわりに自身と通信可能な携帯端末装置がある場合はこれらの携帯端末装置との間でサブネットワークを構築し、この携帯端末装置に対し、データ共有ネットワークへ参加することと、自身が保有する共有データの一覧と、自身が構築したサブネットワークに所属する他の携帯端末装置に関する情報とを通知する。
【０００４】
データ共有ネットワークへ参加しようとする携帯端末装置は、周辺の携帯端末装置から送られてくる本通知を受信し、これらの通知に基づき、データ共有ネットワークに参加する携帯端末装置が保有する共有データの一覧を作成し、通知してきた周辺の携帯端末装置に送信する。
【０００５】
周辺の携帯端末装置は、本共有データの一覧を受信し、自身が必要とする共有データがある場合は携帯端末装置に通知し、データ共有ネットワークへ参加しようとする携帯端末装置から送ってもらう。
【０００６】
これにより不必要な共有データの送受信をなくすことができ、電力や通信リソースの無駄な使用を抑止して複数の携帯端末装置内に格納されているデータの共有性を確保することが可能になる（例えば、特許文献１参照）。
【０００７】
また、他の複数の通信端末装置間で情報を共有する技術としては、共有するデータを管理するデータ管理サーバ装置を置く方法がある。このような方法では、データ管理サーバ装置がデータの共有を希望するユーザグループに対しユーザグループ毎にＩＤ番号あるいはI D番号とパスワードを発行することを行う。ユーザは、共有データをデータ管理サーバ装置に登録しようとする場合、あるいは登録されている共有データを検索しようとする場合に、本ＩＤ番号あるいはＩＤ番号とパスワードにより認証を受け、登録あるいは検索を可能にするものである。これによりユーザグループ内における共有データの登録および検索が容易に行えるようになる(例えば、特許文献２参照)。
【特許文献１】特開２００５−２３６６２９号公報
【特許文献２】特開２００４−１６４３７２号公報
【発明の開示】
【発明が解決しようとする課題】
【０００８】
しかしながら、上記特許文献１に記載の方法では、誰でも参加することができることから、例えば拾った携帯端末装置を使いデータを取得すること、あるいは偽のデータを配ることもできてしまいセキュリティ上の問題がある。
また、上記特許文献２に記載の方法では、誤ったＩＤ番号あるいはパスワードが入力された場合は、データ管理サーバ装置への接続が拒否されるのみであり、例えば拾った携帯端末装置を使い共有データを取得しようとしている、あるいは偽のデータを登録しようとしている人がいたとしても、何ら対処することができない。また、サーバ装置を使うことから導入および運用にコストがかかるものとなる。
【０００９】
本発明は、上述の課題を鑑み、共有のためのサーバ装置を使わずコストを押さえるとともに、拾った携帯端末装置を使ったデータの取得や偽のデータの配布を防止できると共に、送信者が認証のためのパスワードの入力等が正確にできず認証されなかった場合に、対処できるようにした情報通信方法およびシステムを提供することを目的とする。
【課題を解決するための手段】
【００１０】
上述の課題を解決するために、本発明は、第１の通信端末装置が前記第２の通信端末装置にメッセージを送信する処理ステップと、前記第２の通信端末装置が前記第１の通信端末装置からのメッセージを受信する処理ステップとからなり、第１の通信端末装置と第２の通信端末装置とを通信ネットワークを介して接続して、前記第１の通信端末装置と前記第２の通信端末装置との間で情報を共有する情報通信方法であって、前記第１の通信端末装置が前記第２の通信端末装置にメッセージを送信する処理ステップは、通常メッセージを作成するステップと、前記通常メッセージの送信時において認証を行う第１の認証ステップと、前記第１の認証ステップで認証が成立した場合には、前記通常メッセージを送信し、前記第１の認証ステップで認証が成立しない場合には、認証されなかったことを示す特定メッセージを作成して前記特定メッセージを送信するステップとを有し、前記第２の通信端末装置が前記第１の通信端末装置からのメッセージを受信する処理ステップは、前記第１の通信端末装置からの通常メッセージまたは特定メッセージを受信するステップと、受信時において認証を行う第２の認証ステップと、前記第２の認証ステップで認証が成立した場合には、受信した通常メッセージまたは特定メッセージを表示し、前記第２の認証ステップで認証が成立しない場合には、認証されなかったことを代替してあらわす第１の代替メッセージを作成して前記第１の代替メッセージを表示するステップとを有することを特徴とする。
【００１１】
また、本発明では、前記第１の通信端末装置が前記第２の通信端末装置にメッセージを送信する処理ステップは、更に、前記送信時において認証の必要性を判定する第１の要認証判定ステップを有し、前記第２の通信端末装置が前記第１の通信端末装置からのメッセージを受信する処理ステップは、更に、前記受信時において認証の必要性を判定する第２の要認証判定ステップを有することを特徴とする。
【００１２】
本発明は、第１の通信端末装置が前記第２の通信端末装置にメッセージを送信する処理ステップと、前記第２の通信端末装置が前記第１の通信端末装置からのメッセージを受信する処理ステップと、前記第２の通信端末装置が前記第１の通信端末装置に返信メッセージを送信する処理ステップと、前記第１の通信端末装置が前記第２の通信端末装置からの返信メッセージを受信する処理ステップとからなり、前記第１の通信端末装置と前記第２の通信端末装置とを通信ネットワークを介して接続して、前記第１の通信端末装置と前記第２の通信端末装置との間で情報を共有する情報通信方法であって、前記第１の通信端末装置が前記第２の通信端末装置にメッセージを送信する処理ステップは、通常メッセージを作成するステップと、前記通常メッセージの送信時において認証を行う第１の認証ステップと、前記第１の認証ステップで認証が成立した場合には、前記通常メッセージを送信し、前記第１の認証ステップで認証が成立しない場合には、認証されなかったことを示す特定メッセージを作成して前記特定メッセージを送信するステップとを有し、前記第２の通信端末装置が前記第１の通信端末装置からのメッセージを受信する処理ステップは、前記第１の通信端末装置からの通常メッセージまたは特定メッセージを受信するステップと、受信時において認証を行う第２の認証ステップと、前記第２の認証ステップで認証が成立した場合には、受信した通常メッセージまたは特定メッセージを表示し、前記第２の認証ステップで認証が成立しない場合には、認証されなかったことを代替してあらわす第１の代替メッセージを作成して前記第１の代替メッセージを表示するステップとを有し、前記第２の通信端末装置が前記第１の通信端末装置に返信メッセージを送信する処理ステップは、前記第２の通信端末装置で特定メッセージを受信した場合に、前記第１の通信端末装置に返信メッセージを送信するステップを有し、前記第１の通信端末装置が前記第２の通信端末装置からの返信メッセージを受信する処理ステップは、前記第１の通信端末装置からの返信メッセージを受信するステップと、受信時において認証を行う第３の認証ステップと、前記第３の認証ステップで認証が成立した場合には、受信した返信メッセージを表示し、前記第３の認証ステップで認証が成立しない場合には、認証されなかったことを代替してあらわす第２の代替メッセージを作成して前記第２の代替メッセージを表示するステップとを有することを特徴とする。
【００１３】
また、本発明では、第１の通信端末装置が第２の通信端末装置からの返信メッセージを受信する処理ステップは、更に、受信時において認証の必要性を判定する第３の要認証判定ステップを有することを特徴とする。
【００１４】
また、本発明では、認証ステップは、複数回の認証を含むものであることを特徴とする。
【００１５】
本発明は、第１の通信端末装置と、第２の通信端末装置と、前記第１の通信端末装置と前記第２の通信端末装置との間を接続する通信ネットワークとからなり、前記第１の通信端末装置が前記第２の通信端末装置にメッセージを送信し、前記第２の通信端末装置が前記第１の通信端末装置からのメッセージを受信し、前記第１の通信端末装置と前記第２の通信端末装置との間で情報を共有する情報通信システムであって、前記第１の通信端末装置は、通常メッセージを作成する手段と、前記通常メッセージの送信時において認証を行う第１の認証手段と、前記第１の認証で認証が成立した場合には、前記通常メッセージを送信し、前記第１の認証で認証が成立しない場合には、認証されなかったことを示す特定メッセージを作成して前記特定メッセージを送信する手段とを有し、前記第２の通信端末装置は、前記第１の通信端末装置からの通常メッセージまたは特定メッセージを受信する手段と、受信時において認証を行う第２の認証手段と、前記第２の認証で認証が成立した場合には、受信した通常メッセージまたは特定メッセージを表示し、前記第２の認証で認証が成立しない場合には、認証されなかったことを代替してあらわす第１の代替メッセージを作成して前記第１の代替メッセージを表示する手段とを有することを特徴とする。
【００１６】
本発明では、第１の通信端末装置は、更に、送信時において認証の必要性を判定する第１の要認証判定手段を有し、第２の通信端末装置は、更に、受信時において認証の必要性を判定する第２の要認証判定手段を有することを特徴とする。
【００１７】
本発明は、第１の通信端末装置と、第２の通信端末装置と、前記第１の通信端末装置と前記第２の通信端末装置との間を接続する通信ネットワークとからなり、前記第１の通信端末装置が前記第２の通信端末装置にメッセージを送信し、前記第２の通信端末装置が前記第１の通信端末装置からのメッセージを受信し、更に、前記第２の通信端末装置は、前記第１の通信端末装置に返信メッセージを送信し、前記第１の通信端末装置は、前記第１の通信端末装置からの返信メッセージを受信して、前記第１の通信端末装置と前記第２の通信端末装置との間で情報を共有する情報通信システムであって、前記第１の通信端末装置は、通常メッセージを作成する手段と、前記通常メッセージの送信時において認証を行う第１の認証手段と、前記第１の認証で認証が成立した場合には、前記通常メッセージを送信し、前記第１の認証で認証が成立しない場合には、認証されなかったことを示す特定メッセージを作成して前記特定メッセージを送信する手段と、前記返信メッセージの受信時において認証を行う第３の認証手段と、前記第３の認証手段で認証が成立した場合には、受信した返信メッセージを表示し、前記第３の認証手段で認証が成立しない場合には、認証されなかったことを示す第２の代替メッセージを作成して前記第２の代替メッセージを表示する手段とを有し、前記第２の通信端末装置は、前記第１の通信端末装置からの通常メッセージまたは特定メッセージを受信する手段と、受信時において認証を行う第２の認証手段と、前記第２の認証手段で認証が成立した場合には、受信した通常メッセージまたは特定メッセージを表示し、前記第２の認証手段で認証が成立しない場合には、認証されなかったことを代替してあらわす第１の代替メッセージを作成して前記第１の代替メッセージを表示する手段と、前記第１の通信端末装置からの特定メッセージを受信した場合に、前記第１の通信端末装置に返信メッセージを送信する手段とを有することを特徴とする。
【００１８】
また、この発明では、第１の通信端末装置は、更に、受信時において認証の必要性を判定する第３の要認証判定手段を有することを特徴とする。
【００１９】
また、この発明では、認証手段は、複数回の認証を含むものであることを特徴とする。
【発明の効果】
【００２０】
本発明によれば、第１の通信端末２で送信時の認証が行われ、認証が成立したら通常メッセージが送信され、認証が不成立なら、特定メッセージが送信される。第２の通信端末装置３で、受信時の認証が行われ、認証が成立すると、第１の通信端末装置２から送られてきた通常メッセージまたは特定メッセージが表示され、認証が不成立なら、代替メッセージが表示される。第２の通信端末装置３の利用者５は、特定メッセージの表示を見ることにより、相手方が送信時に認証しない状態にあることを知ることができる。代替メッセージは、正規の利用者が見る場合と、第三者が見る場合とがあることから、正規の利用者には入力ミスで認証されなかったことが分かるように、また第三者には認証されなかったことが分からないように、例えば「桜が散りました」とすることができる。これにより、正規の利用者は、この代替メッセージの表示により、認証が正しく行われていないことが分かる。また、第三者には、この代替メッセージの意味が理解できないため、情報の漏洩を防ぐことができる。
【００２１】
このように、本発明によれば、少なくとも紛失する可能性の高い携帯端末装置にあっては情報の送信あるいは受信のいずれの場合においても認証を行い個人的な重要な情報に他人が関われないようにすることができ、また共有のためのサーバ装置を使わないことから導入および運用コストを低く押さえることができ、更に人対人のつながりになることから、送信者が認証のためのパスワードの入力等が正確にできず認証されなかった場合は、例えば携帯端末装置を落としてしまい誰かが使っている、あるいは体の具合が悪く正確な操作ができなくなっているなどであり、こうした状態にあることを認証された確かな受信者に伝えることができ、それにより送信者に直接あるいは周りの入に問合せをするなどの処置をとることができる。また、本発明によれば、利用者にとっては、うっかりパスワードの入力等を間違えた場合であっても第三者に気づかれずに知らせてもらえる。
【発明を実施するための最良の形態】
【００２２】
以下、本発明の実施の形態について図面を参照しながら説明する。
（第１の実施形態）
図１は、本発明の第１の実施形態における情報通信システムの全体構成を示すものである。図１に示すように、本発明の第１の実施形態の情報通信システムは、通信ネットワーク１と、第１の通信端末装置２と、第２の通信端末装置３とからなる。通信端末装置２は利用者４が保有する端末であり、通信端末装置３は利用者５が保有する端末である。通信ネットワーク１は、第１の通信端末装置２と第２の通信端末装置３との間を接続するネットワークであり、電話網、ＩＰ網、移動体網等である。
【００２３】
なお、本発明の第１の通信端末装置２および第２の通信端末装置３は、携帯電話装置をはじめ、ＰＨＳ(Personal Handy-phone system)、カーナビゲーション装置等の移動体通信端末装置、通信機能を備えたＰＤＡ(Persona1 Digital Assistant) や、パーソナルコンピュータ等であってもよい。ここでは携帯電話装置をとりあげ、情報の通信手段としてメール通信を使った場合を例に説明する。なおメール通信を行うためのメールサーバ装置については図示を省略している。
【００２４】
次に、本システムの動作概要および構成装置の概要について、第１の通信端末装置２からメールを送信し、第２の通信端末装置３が受信する場合を例にして、説明する。なお、ここでは、一般的なメール通信の処理に関する部分についての記述を省略している。
【００２５】
図１において、利用者４は、第１の通信端末装置２を使い、「今日の予定」等の通常のメッセージを作成する。以下、このようにして作成されたメッセージを予定文メッセージ（通常メッセージ）と呼ぶことにする。予定文メッセージが作成されると、第１の通信端末装置２では、メールメッセージに基づいて、認証の必要性が判定され、認証が必要と判定されると、送信時の認証が行われる。
【００２６】
送信時の認証の必要性の判定は、例えばメールメッセージに含まれる発アドレス、着アドレスおよびタイトルに予め決められた特定の言葉、例えば「予定」が含まれているかを見ることにより判定することができる。また、認証は、パスワード等の例えば予め決められた番号、文字の入力により行われる。
【００２７】
送信時の認証が成立すると、図２に示すように、予定文メッセージが第１の通信端末装置２から送信される。この予定文メッセージは、第１の通信端末装置２から、通信ネットワーク１を介して、第２の通信端末装置３に送信され、第２の通信端末装置３で受信される。
【００２８】
これに対して、送信時の認証が成立しないときには、第１の通信端末装置２で、特定メッセージが作成される。この特定メッセージは、第１の通信端末装置２での認証に問題があったことを示すもので、例えば「認証されませんでした」というようなメッセージである。そして、図３に示すように、この特定メッセージは、第１の通信端末装置２から、通信ネットワーク１を介して、第２の通信端末装置３に送信され、第２の通信端末装置３で受信される。
【００２９】
このように、第１の通信端末装置２では、予定文メッセージが作成され、メールメッセージに基づいて、認証の必要性が判定され、認証が必要な場合には、認証が行われる。そして、認証が成立すると、図２に示すように、予定文メッセージが第１の通信端末装置２から第２の通信端末装置３に送信される。認証が不成立なら、図３に示すように、特定メッセージが第１の通信端末装置２から第２の通信端末装置３に送信される。
【００３０】
第２の通信端末装置３は、第１の通信端末装置２からの予定文メッセージまたは特定メッセージを受信すると、受信したメールメッセージに基づいて、認証の必要性が判定され、認証が必要と判定されると、受信時の認証が行われる。
【００３１】
受信時の認証の必要性の判定は、例えば受信時のメールメッセージに含まれる発アドレス、着アドレスおよびタイトルに予め決められた特定の言葉を検索することにより判定することができる。また、認証は、パスワード等の例えば予め決められた番号、文字の入力により行われる。
【００３２】
受信時の認証が成立すると、第１の通信端末装置２から送られてきた予定文メッセージまたは特定メッセージが第２の通信端末装置３に表示される。すなわち、第１の通信端末装置２から、予定文メッセージが送られてきた場合には、図２に示すように、第２の通信端末装置３の表示部３４には、予定文メッセージが表示される。第１の通信端末装置２から、特定メッセージが送られてきた場合には、図３に示すように、第２の通信端末装置３の表示部３４には、特定メッセージが表示される。
【００３３】
これに対して、受信時の認証が成立しないときには、第２の通信端末装置３で、代替メッセージが作成される。この代替メッセージは、第２の通信端末装置３での認証に問題があったことを示すもので、例えば「桜が散りました」というようなメッセージである。そして、図４に示すように、この代替メッセージが第２の通信端末装置３の表示部３４に表示される。
【００３４】
このように、本発明の第１の実施形態の情報通信システムでは、第２の通信端末装置３で、受信したメールメッセージに基づいて、認証の必要性が判定され、認証が必要なら、認証が行われる。そして、受信時の認証が成立すると、図２または図３に示すように、第１の通信端末装置２から送られてきた予定文メッセージまたは特定メッセージが表示部３４に表示される。第２の通信端末装置３の利用者５は、図３に示したような、特定メッセージの表示が表示部３４に表示されたのを見ることにより、相手方が送信時に認証しない状態にあることを知ることができる。
【００３５】
ここで、第１の通信端末装置２での送信時の認証が正常に行われなかった原因としては、以下のようなことが考えられる。
・利用者４が入力ミス等で、正しいパスワードが入力されていない。
・利用者４が第１の通信端末装置２を置き忘れた等により、第１の通信端末装置２が第三者に使用されている。
【００３６】
第２の通信端末装置３の利用者５は、特定メッセージを受信したら、第１の通信端末装置２の利用者４と連絡をとる。これにより、パスワードの入力ミス等があった場合に、入力ミスを直ちに指摘できる。また、第１の通信端末装置２が他人に使われているような場合に、使用中止等の処置を素速く講ずることができる。
【００３７】
なお、特定メッセージが第２の通信端末装置３に表示されるのは、図３に示したように、第２の通信端末装置３での受信時の認証が成立したときに限られる。したがって、特定メッセージは、信頼のおける人のみが見ることになるので、認証されなかったことを明確に表現したもの、例えば「認証されませんでした」とすることができる。
【００３８】
また、第２の通信端末装置３での受信時の認証が不成立なら、図４に示すように、第２の通信端末装置３の表示部３４に代替メッセージが表示される。この代替メッセージにより、第２の通信端末装置３の利用者５は、受信時の認証が正しく行われなかったことを知ることができる。
【００３９】
ここで、第２の通信端末装置３での受信時の認証が正常に行われなかった原因としては、以下のようなことが考えられる。
・利用者５が入力ミス等で、正しいパスワードが入力されていない。
・利用者５が第２の通信端末装置３を置き忘れた等により、第２の通信端末装置３が第三者に使用されている。
【００４０】
パスワードの入力ミスの場合には、第２の通信端末装置３の正規の利用者５が第２の通信端末装置３の代替メッセージを見ることになるが、第２の通信端末装置３が第三者に使われている場合には、第三者が第２の通信端末装置３の代替メッセージを見ることになる。このように、代替メッセージは、正規の利用者５が見る場合と、第三者が見る場合とがある。そこで、正規の利用者５には入力ミスで認証されなかったことが分かるように、また第三者には認証されなかったことが分からないように、代替メッセージは、例えば「桜が散りました」とする。正規の利用者５は、この代替メッセージの表示により、認証が正しく行われていないことが分かる。また、第三者には、この代替メッセージの意味が理解できないため、情報の漏洩を防ぐことができる。
【００４１】
以上述べたように、本発明の第１の実施形態の情報通信システムでは、情報の送信あるいは受信あるいは送受信において認証を行うことができ、共有のためのサーバ装置を必要としない。また、送信者が認証のためのパスワードの入力等が正確に行えず、認証が成立しない場合は、こうした状態にあることを、相手方に伝えることができる。また、通信端末装置の置き忘れ等があり、第三者に通信端末装置が使用された場合に、素速く、対策を施すことができる。
【００４２】
次に、本システムの構成装置概要について説明する。図５は、本発明の第１の実施形態の情報通信システムにおける構成装置の構成例を示す図である。
【００４３】
図５において、第１の通信端末装置２は、通信部２１と、通話部２２と、制御部２３と、表示部２４と、キー部２５と、記億部２６とを有している。
【００４４】
通信部２１は、無線通信を処理するものである。送信信号は、通信部２１からアンテナ２１１に送られ、アンテナ２１１から送信される。また、アンテナ２１１の受信信号が通信部２１に供給される。
【００４５】
通話部２２は、通話時の音声信号を処理するものである。入力音声信号は、マイク２２２から入力され、通話部２２に送られる。また、出力音声信号は、スピーカ２２１に送られ、スピーカ２２１から出力される。
【００４６】
制御部２３は、通信端末装置全体を制御するものである。表示部２４は、各種の表示を行うものである。キー部２５は、各種のキーを備えるものである。記億部２６は、各種のプログラムやデータを記憶するものである。
【００４７】
制御部２３を機能ブロック図で示すと、メール送受信部２３１と、入出力インタフェース部２３２と、第１の要認証判定部２３３ａと、第１の認証部２３４ａと、特定メッセージ作成部２３５とからなる。
【００４８】
メール送受信部２３１は、メールの送受信を行うとともに、入出力インタフェース部２３２、第１の要認証判定部２３３ａ、第１の認証部２３４ａおよび特定メッセージ作成部２３５間でインタフェースを行うものである。入出力インタフェース部２３２は、表示部２４およびキー部２５間でインタフェースを行うものである。
【００４９】
予定文のメッセージの作成は、キー部２５からの入力により行われる。前述したように、メールメッセージが作成されると、このメールメッセージの認証の必要性が判定される。第１の要認証判定部２３３ａは、送信する情報であるメールメッセージに基づき、認証の必要性を判定している。そして、第１の要認証判定部２３３ａは、認証の必要がないと判定すると、メール送信が可であることを示す信号をメール送受信部２３１に入力する。一方、第１の要認証判定部２３３ａは、認証の必要があると判定すると、認証が必要であることを示す信号を第１の認証部２３４ａに入力する。第１の認証部２３４ａは、第１の要認証判定部２３３ａにより認証が必要と判定されたことにより、送信時の認証を行うものである。
【００５０】
なお、第１の要認証判定部２３３ａにあっては、例えばメールメッセージに含まれる発アドレス、着アドレスおよびタイトルに予め決められた特定の言葉、例えば「予定」が含まれているかを検索することにより認証の必要性を判定することができる。
【００５１】
また、第１の認証部２３４ａにあっては、例えば予め決められた番号、文字等が入力されたことにより認証を行う。
【００５２】
第１の認証部２３４ａで送信時の認証が成立すると、第１の認証部２３４ａは、メール送信が可であることを示す信号をメール送受信部２３１に入力する。これにより、メール送受信部２３１で作成された予定文メッセージが制御部２３から出力される。この予定文メッセージは、制御部２３から、通信部２１に入力され、アンテナ２１１から送信される。
【００５３】
これに対して、第１の認証部２３４ａで認証が成立しないと、第１の認証部２３４ａは、特定メッセージの作成を要求する信号が特定メッセージ作成部２３５に入力される。この特定メッセージの作成要求により、特定メッセージ作成部２３５は、特定メッセージを作成する。この特定メッセージの情報は、メール送受信部２３１に入力される。そして、特定メッセージ情報が入力されたメール送受信部２３１は、予定文メッセージに置き換えて、あるいは予定文メッセージに付加して、特定メッセージを送信する。
【００５４】
なお、特定メッセージ作成部２３５にあっては、特定メッセージは認証された受信者にしか表示されないので、すなわち信頼の高い人のみが見ることになるので、認証されなかったことを明確に表現したもの、例えば「認証されませんでした」とする。また、特定メッセージは予め作っておくことができる。
【００５５】
また、全てのメールメッセージについて認証を行う場合は、第１の要認証判定部２３３ａを省略することができる。
【００５６】
また、第１の通信端末装置２が固定された通信端末装置であって、第三者が触れる可能性が低く、認証を行う必要がない場合は、第１の要認証判定部２３３ａと、第１の認証部２３４ａと、特定メッセージ作成部２３５とを省略することができる。
【００５７】
一方、第２の通信端末装置３は、通信部３１と、通話部３２と、制御部３３と、表示部３４と、キー部３５と、記億部３６とを有している。
【００５８】
通信部３１は、無線通信を処理するものである。送信信号は、通信部３１からアンテナ３１１に送信され、アンテナ３１１から送信される。また、アンテナ３１１の受信信号が通信部３１に供給される。
【００５９】
通話部３２は、通話時の音声信号を処理するものである。入力音声信号は、マイク３２２から入力され、通話部３２に送信される。出力音声信号は、スピーカ３２１に送信され、スピーカ３２１から出力される。
【００６０】
制御部３３は、通信端末装置全体を制御するものである。表示部３４は、各種の表示を行うものである。キー部３５は、各種のキーを備えるものである。記億部３６は、各種のプログラムやデータを記憶するものである。
【００６１】
制御部３３を機能ブロック図で示すと、メール送受信部３３１と、入出力インタフェース部３３２と、第２の要認証判定部３３３と、第２の認証部３３４と、第１の代替メッセージ作成部３３６とからなる。
【００６２】
メール送受信部３３１は、メールの送受信を行うとともに入出力インタフェース部３３２、第２の要認証判定部３３３、第２の認証部３３４および第１の代替メッセージ作成部３３６間でインタフェースを行うものである。
【００６３】
入出力インタフェース部３３２は、表示部３４およびキー部３５間でインタフェースを行うものである。
【００６４】
前述したように、第１の通信端末装置２からは、予定文メッセージまたは特定メッセージが送信されてくる。第２の要認証判定部３３３は、受信した情報であるメールメッセージに基づき、認証の必要性を判定する。そして、第２の要認証判定部３３３は、認証の必要性がないと判定するとメールメッセージの表示が可であることを示す信号をメール送受信部３３１に入力する。
【００６５】
一方、第２の要認証判定部３３３は、認証の必要性があると判定すると、認証を要求する信号を第２の認証部３３４に入力する。
第２の認証部３３４は、第２の要認証判定部３３３により認証が必要と判定されたことにより受信時の認証を行うものである。第２の認証部３３４は、受信時の認証が成立すると、メールメッセージの表示が可であることを示す信号をメール送受信部３３１に入力する。
【００６６】
一方、第２の認証部３３４は、受信時の認証が成立しなかった場合に、代替メッセージの作成を要求する信号を第１の代替メッセージ作成部３３６に入力する。
第１の代替メッセージ作成部３３６は、第２の認証部３３４により受信時の認証がされなかった場合に、認証されなかったことを代替してあらわす代替メッセージを作成する。そして、第１の代替メッセージ作成部３３６は、代替メッセージを作成すると、作成した第１の代替メッセージ情報と、また、代替メッセージの表示が可であることを示す情報とをメール送受信部３３１に入力する。
【００６７】
なお、第２の要認証判定部３３３にあっては、例えばメールメッセージに含まれる発アドレス、着アドレスおよびタイトルに予め決められた特定の言葉、例えば「予定」が含まれているかを見ることにより認証の必要性を判定することができる。
【００６８】
また、第２の認証部３３４にあっては、例えば予め決められた番号、文字等が入力されたことにより認証を行う。
【００６９】
また、第１の代替メッセージ作成部３３６は、第２の通信端末装置３を拾った第三者などのように利用者５本人以外の者が見ることもあるので、その第三者には認証されなかったことが分からないように、かつ、利用者５本人自体には認証されなかったことがわかるように、例えば「桜が散りました」という代替メッセージを作成する。代替メッセージは予め作っておくことができる。代替メッセージ情報が入力されたメール送受信部３３１は、予定文メッセージあるいは特定メッセージに置き換えて代替メッセージを表示することになる。
【００７０】
また、全てのメールメッセージについて認証を行う場合は第２の要認証判定部３３３を省略することができる。
【００７１】
また、第２の通信端末装置３が固定された通信端末装置であって第三者が触れる可能性が低く認証を行う必要がない場合は第２の要認証判定部３３３と、第２の認証部３３４と、第１の代替メッセージ作成部３３６とを省略することができる。
【００７２】
次に、本システムの動作について詳細に説明する。図６は、本発明の第１の実施形態の情報通信システムの動作例を示すシーケンスチャートである。同図は、利用者４、第１の通信端末装置２、第２の通信端末装置３および利用者５間のシーケンスを示している。
【００７３】
利用者４が第１の通信端末装置２を使い予定文のメールメッセージを作成すると（ステップＳ１）、第１の通信端末装置２が認証の必要性を判定する（ステップＳ２）。第１の通信端末装置２は、認証が必要であると判定すると（ステップＳ３：ＹＥＳ）、認証を行い（ステップＳ４）、認証されると（ステップＳ５：ＹＥＳ）、予定文メッセージのメールを送信する（ステップＳ６）。
一方、第１の通信端末装置２は、ステップＳ３において、認証が必要でないと判定すると（ステップＳ３：ＮＯ）、ステップ６に移行し、予定文メッセージのメールを送信する。
また、ステップＳ５において、認証されなかった場合は（ステップＳ５：ＮＯ）、試行回数を計数する。そして、第１の通信端末装置２は、規定の回数以下であると判定すると（ステップＳ７：ＮＯ）、再びステップＳ４に戻り認証を行う。一方、第１の通信端末装置２は、ステップＳ７で規定の回数に達したと判定した場合は（ステップＳ７：ＹＥＳ）、特定メッセージを作成し（ステップＳ８）、その特定メッセージのメールを送信する（ステップＳ６）。
【００７４】
また、第２の通信端末装置３は、予定文メッセージまたは特定メッセージのメールを受信すると（ステップＳ９）、認証の必要性を判定する（ステップＳ１０）。そして、第２の通信端末装置３は、認証が必要であると判定すると（ステップＳ１１：ＹＥＳ）、認証を行い（ステップＳ１２）、認証されると（ステップＳ１３：ＹＥＳ）、予定文メッセージまたは特定メッセージのメールメッセージを表示する（ステップＳ１４）。一方、第２の通信端末装置３は、ステップＳ１１において、認証が必要でないと判定すると、予定文メッセージまたは特定メッセージのメールメッセージを表示する（ステップＳ１４）。
また、第２の通信端末装置３は、ステップＳ１３において認証されなかった場合（ステップＳ１３：ＮＯ）、試行回数を計数する。そして、第２の通信端末装置３は、規定の回数以下であると判定すると（ステップＳ１５：ＮＯ）、再びステップＳ１２に戻り認証を行う。一方、第２の通信端末装置３は、ステップＳ１５で規定の回数に達したと判定した場合は（ステップＳ１５：ＹＥＳ）、代替メッセージを作成し（ステップＳ１６）、その代替メッセージを表示する（ステップＳ１７）。
【００７５】
なお、第１の通信端末装置２において全てのメールメッセージについて認証を行う場合はステップＳ２およびステップＳ３を省略することができる。
【００７６】
また、第２の通信端末装置３において全てのメールメッセージについて認証を行う場合はステップＳ１０およびステップＳ１１を省略することができる。
【００７７】
また、第１の通信端末装置２において全てのメールメッセージについて認証を行わない場合はステップＳ１およびステップＳ６以外のステップを省略することができる。
【００７８】
また、第２の通信端末装置３において全てのメールメッセージについて認証を行わない場合はステップＳ９およびステップＳ１４以外のステップを省略することができる。
【００７９】
上記に述べたとおり、本発明の第１の実施形態によれば、情報の送信あるいは受信あるいは送受信において認証を行うことができ、共有のためのサーバ装置を必要とせず、送信者が認証のためのパスワードの入力等が正確にできず認証されなかった場合は、こうした状態にあることを認証された受信者に伝えることが可能となる。
【００８０】
（第２実施形態）
次に、本発明の第２の実施形態について説明する。前述の第１の実施形態では、利用者４がパスワードの入力ミスをしていたとき、第１の通信端末装置２には特別なメッセージは表示されない。このため、第１の通信端末装置２の利用者４は、第２の通信端末装置３の利用者５からの連絡があるまで、パスワード等の入力ミスに気が付かない。
【００８１】
これに対して、この実施形態では、第２の通信端末装置３が特定メッセージを受信したら、第２の通信端末装置３から第１の通信端末装置２に返信メッセージを送信することで、第１の通信端末装置２の利用者４に、パスワード等に入力ミスがあったことを気づかせるようにしている。
【００８２】
（第２の実施形態）
本発明の第２の実施形態について図面を参照して説明する。なお上記に述べた本発明を第１の実施形態のものと同一、または同等の機能要素については同一の符号を当てるものとし、詳細な説明については省略するものとする。
【００８３】
この実施形態では、図７に示すように、第１の通信端末装置２で送信時の認証が成立しないと、第１の通信端末装置２から第２の通信端末装置３に特定メッセージが送信される。第２の通信端末装置３は、受信時の認証を行い、認証が成立すると、特定メッセージを表示する。利用者５は、特定メッセージを目視することにより第１の通信端末装置２での送信時の認証に問題があることを知ることになる。
第２の通信端末装置３は、利用者５の操作によって、第１の通信端末装置２に返信メッセージを送信する。返信メッセージは、例えば、特定メッセージをそのまま返信すればよい。第１の通信端末装置２は、返信メッセージを受信すると、受信したメッセージに基づいて、受信時の認証の必要性を判定し、受信時の認証の必要があれば認証を行い、受信時の認証が成立すれば、図７に示すように、返信メッセージが第１の通信端末装置２の表示部２４に表示される。
【００８４】
受信時の認証が成立しないときには、第１の通信端末装置２で、第２の代替メッセージが作成される。そして、図８に示すように、第１の通信端末装置２の表示部２４に、第２の代替メッセージが表示される。この第２の代替メッセージは、第三者が見る可能性があるため、利用者４には入力ミスで認証されなかったことが分かるように、また第三者には認証されなかったことが分からないように、例えば「紅葉が散りました」とする。
【００８５】
次に、本発明の第２の実施形態の構成装置概要について説明する。図９に示すように、本発明の第２の実施形態においては、第１の通信端末装置２は、第１の実施形態における装置構成に対し、更に第３の要認証判定部２３３ｂと、第３の認証部２３４ｂと、第２の代替メッセージ作成部２３６とを有する。
【００８６】
第３の要認証判定部２３３ｂは、受信した情報である第１の特定メッセージに基づき認証の必要性を判定し、認証の必要がないと判定すると、第１の特定メッセージの表示が可であることを示す信号をメール送受信部２３１に入力する。また、第３の要認証判定部２３３ｂは、認証の必要があると判定すると、認証を要求する信号を第３の認証部２３４ｂに入力する。第３の認証部２３４ｂは、第３の要認証判定部２３３ｂにより認証が必要と判定されたことにより認証を行い、認証すると、特定メッセージの表示が可であることを示す信号をメール送受信部２３１に入力する。
また、第３の認証部２３４ｂは、認証されなかった場合には、第２の代替メッセージの作成を要求する信号を第２の代替メッセージ作成部２３６に入力する。第２の代替メッセージ作成部２３６は、認証されなかったことを代替してあらわす第２の代替メッセージを作成し、この第２の代替メッセージの情報および第２の代替メッセージの表示が可であることを示す情報をメール送受信部２３１に入力する。
【００８７】
なお、第３の要認証判定部２３３ｂにあっては、例えば特定メッセージに含まれる発アドレス、着アドレスおよびタイトルに予め決められた特定の言葉、例えば「予定」が含まれていることを見ることにより認証の必要性を判定することができる。
【００８８】
また、第３の認証部２３４ｂにあっては、例えば予め決められた番号、文字等が入力されたことにより認証を行う。
【００８９】
また、第２の代替メッセージ作成部２３６は、第１の通信端末装置２を拾った第三者などのように利用者４本人以外の者が見ることもあるので、その第三者には認証されなかったことが分からないように、かつ利用者４には入力ミスで認証されなかったことが分かるように、例えば「紅葉が散りました」などの第２の代替えメッセージを作成する。第２の代替メッセージは予め作っておくことができる。第２の代替メッセージ情報が入力されたメール送受信部２３１は、受信した特定メッセージに置き換えて第２の代替メッセージを表示することになる。
【００９０】
図１０は、図５におけるシステムの動作例を示すシーケンスチャートである。同図は利用者４、第１の通信端末装置２、第２の通信端末装置３および利用者５間のシーケンスを示している。なお、ステップＳ１からステップＳ１７までの動作は、上記第１の実施形態の動作と同様であるので、ここでの説明は省略する。
【００９１】
本発明の第１の実施形態におけるステップＳ１７に続いて、利用者５が返信メールの操作を行うと（ステップＳ２１）、第２の通信端末装置３が返信メッセージを送信する（ステップＳ２２）。第１の通信端末装置２は、返信メッセージを受信すると（ステップＳ２３）、認証の必要性の判定を行う（ステップＳ２４）。そして、第１の通信端末装置２は、認証が必要であると判定すると（ステップＳ２５：ＹＥＳ）、認証を行い（ステップＳ２６）、認証されると（ステップＳ２７：ＹＥＳ）、返信メッセージを表示する（ステップＳ２８）。一方、第１の通信端末装置２は、ステップＳ２５において、認証が必要でないと判定すると（ステップＳ２５：ＮＯ）、第１の特定メッセージの表示を行う（ステップＳ２８）。また、第１の通信端末装置２は、ステップＳ２７において、認証されないと（ステップＳ２７：ＮＯ）、試行回数を計数し、規定の回数以下であると判定すると（ステップＳ２９：ＮＯ）、再びステップＳ２６に戻り認証を行う。また、第１の通信端末装置２は、ステップＳ２９で規定の回数に達したと判定すると（ステップＳ２９：ＹＥＳ）、第２の代替メッセージを作成し（ステップＳ３０）、その第２の代替メッセージを表示する（ステップＳ３１）。
【００９２】
本実施形態によれば、利用者４には入力ミスしていたことが分かるが第三者には分からないようにすることができることになる。
【００９３】
なお、本発明は、上述の実施形態に限定されるものではなく、その主旨を逸脱しない範囲において種々変更可能である。
【産業上の利用可能性】
【００９４】
本発明は、セキュリティの高いデータ共有ネットワークを構築するのに広く用いることができる。
【図面の簡単な説明】
【００９５】
【図１】本発明の第１の実施形態の情報通信システムの構成例を示すブロック図である。
【図２】本発明の第１の実施形態の情報通信システムの動作説明に用いるブロック図である。
【図３】本発明の第１の実施形態の情報通信システムの動作説明に用いるブロック図である。
【図４】本発明の第１の実施形態の情報通信システムの動作説明に用いるブロック図である。
【図５】本発明の第１の実施形態の情報通信システムの構成装置の概要を説明するためのブロック図である。
【図６】本発明の第１の実施形態の情報通信システムの動作例を示すシーケンスチャートである。
【図７】本発明の第２の実施形態の情報通信システムの動作説明に用いるブロック図である。
【図８】本発明の第２の実施形態の情報通信システムの動作説明に用いるブロック図である。
【図９】本発明の第２の実施形態の情報通信システムの構成装置の概要を説明するためのブロック図である。
【図１０】本発明の第２の実施形態の情報通信システムの動作例を示すシーケンスチャートである。
【符号の説明】
【００９６】
１      通信ネットワーク
２      第１の通信端末装置
３      第２の通信端末装置
４、５  利用者
２１、３１  通信部
２３、３３  制御部
２２、３２  通話部
２１１、３１１  アンテナ
２２１、３２１  スピーカ
２２２、３２２  マイク
２３１、３３１  メール送受信部
２３２、３３２  入出力インタフェース部
２３３ａ  第１の要認証判定部
２３３ｂ  第３の要認証判定部
２３４ａ  第１の認証部
２３４ｂ  第３の認証部
２３５  特定メッセージ作成部
２３６  第２の代替メッセージ作成部
３３３    第２の要認証判定部
３３４  第２の認証部
３３６  第１の代替メッセージ作成部
２４、３４  表示部
２５、３５  キー部
２６、３６  記億部
【図１】
2008046732.tif 000003
【図２】
2008046732.tif 000004
【図３】
2008046732.tif 000005
【図４】
2008046732.tif 000006
【図５】
2008046732.tif 000007
【図６】
2008046732.tif 000008
【図７】
2008046732.tif 000009
【図８】
2008046732.tif 000010
【図９】
2008046732.tif 000011
【図１０】
2008046732.tif 000012